(57)【要約】【課題】レンタル品の収納ケース部と、その収納ケース部の施錠部に挿入される施錠部材とからなるレンタル品収納ケースにおいて、「貸出ＯＫ」等のメッセージを表示したテープの損傷・汚損を防止することにより、当該テープをきれいな状態に維持することである。【解決手段】収納ケース部１１のヒンジと反対側の開放端部に設けられた施錠部１２が透明又は半透明に形成され、所要のメッセージを表示したメッセージテープ１９が前記施錠部１２に挿入される施錠部材１３に接着され、そのメッセージが収納ケース部１１を透過して顧客が見通せるようにした。【選択図】図１
2010222049.tif 000002
【特許請求の範囲】
【請求項１】
レンタル品の収納ケース部と、その収納ケース部の施錠部に挿入される施錠部材とからなり、前記収納ケース部がヒンジによって開閉自在に形成され、前記ヒンジと反対側の開放端部に前記の施錠部が一体に設けられ、その施錠部に前記施錠部材を挿入することにより収納ケース部の開放端部が施錠され、前記施錠部が形成された部分の収納ケース部にメッセージ表示部を設けたレンタル品収納ケースにおいて、
前記施錠部材に所要のメッセージが施され、そのメッセージが前記収納ケース部を透過して前記メッセージ表示部に現れるようにしたことを特徴とするレンタル品収納ケース。
【請求項２】
前記収納ケース部は、ケース本体と、その一辺にヒンジにより開閉自在に結合されたフタ部を有し、前記施錠部は前記ケース本体とフタ部の内面に設けられ、該施錠部の一側面に前記施錠部材を挿入する開口が設けられ、前記施錠部を構成するケース本体の部分が透明又は半透明に形成されるとともに当該部分に前記のメッセージ表示部が形成され、前記施錠部材は、相互に結合された２枚のバー部を有し、前記メッセージ表示部に面したバー部に前記のメッセージを施したことを特徴とする請求項１に記載のレンタル品収納ケース。
【請求項３】
前記メッセージがメッセージテープに施され、そのメッセージテープを前記施錠部材のバー部に貼り付けたことを特徴とする請求項２に記載のレンタル品収納ケース。
【発明の詳細な説明】
【技術分野】
【０００１】
この発明は、レンタルディスク等のレンタル品の収納ケースに関し、主としてレンタル店において使用されるものである。
【背景技術】
【０００２】
レンタル店におけるＣＤ、ＤＶＤ、ブルーレイディスクなどのレンタルディスクの取り扱いを例にとって説明すると、レンタルディスクは扁平な合成樹脂製のレンタル品収納ケースに収納され、その一つのレンタル品収納ケースを一つの陳列ケースごとに収納して陳列される。陳列ケースは上端が開放され、ある程度の安定性をもって起立し得るものであり、陳列棚等に並べられる。
【０００３】
レンタル品収納ケースは、その上端部の一定幅の部分を陳列ケースの上端から露出させた状態に収納され、抜き出し易くなっている。また、その露出部分に着色テープを接着し、そのテープに貸出可能であることをアピールするために「貸出ＯＫ」等の表示、その他のメッセージを表示することが行われている（特許文献１）。
【０００４】
さらに具体的に示せば、添付の図７に示したようなものが実際に使用されている。同図に示したように、扁平なレンタル品収納ケース１の開閉端部（ヒンジと反対側の端部）を上向きにして、その上端部の一定幅の部分を露出させた状態で陳列ケース２に収納される。
【０００５】
レンタル品収納ケース１は、その上端部の内部に施錠部が設けられ、側面開口部３に施錠部材４を挿入することによりケース１を施錠することができる。施錠部材４は、店側が保管する解錠部材によってのみ抜き出しが可能であり、これによりケース１内のディスクが勝手に持ち出される恐れをなくしている。
【０００６】
レンタル品収納ケース１が陳列ケース２の上端から露出する範囲は前記の施錠部が設けられた範囲と実質的に一致し、その露出した部分の前面がメッセージ表示部５となっている。このメッセージ表示部５には、メッセージテープ６が接着され、そのテープ６に「貸出ＯＫ」、「タイトル確認の上、このケースをカウンターまでお持ちください。」等のメッセージが印刷される。顧客はそのメッセージに従い、陳列ケース２からレンタル品収納ケース１を抜き出してカウンターまで持参する。陳列ケース２は空の状態で棚上に残される。
【先行技術文献】
【特許文献】
【０００７】
【特許文献１】特許第２６３５９２０号公報
【発明の概要】
【発明が解決しようとする課題】
【０００８】
前記のレンタル品収納ケース１は内部のディスク等とともに顧客によって持ち運ばれ、ディスクの使用等に際して開閉が行われるが、その際にメッセージテープ６に手指等が直接触れることがあるため、メッセージテープ６が汚れたり、部分的に剥離したりすることがある。
【０００９】
レンタル品収納ケース１と内部のディスク等は、ある程度の使用期間が経過すると中古品として販売されることがあるが、前記のように、メッセージテープ６が損傷・汚損されていると中古品としての商品価値が低下する問題がある。
【００１０】
また、前記のレンタル品収納ケース１が用済みとなり廃棄処分される際に、再生利用のための加工に支障を来すことのないようケースの材質（例えば、ポリプロピレン）と異なる材質（例えば、アルミ蒸着層を有するポリエチレン）のメッセージテープ６を剥離する必要がある。このため、廃棄処分の際に手間がかかる問題がある。
【００１１】
そこで、この発明は、メッセージテープが損傷・汚損され難く、また、再生利用品として廃棄処分する際にメッセージテープの存在が問題になることのないレンタル品収納ケースを提供することを課題とする。
【課題を解決するための手段】
【００１２】
前記の課題を解決するために、この発明は、レンタル品の収納ケース部と、その収納ケース部の施錠部に挿入される施錠部材とからなり、前記収納ケース部がヒンジによって開閉自在に形成され、前記ヒンジと反対側の開放端部に前記の施錠部が一体に設けられ、その施錠部に前記施錠部材を挿入することにより収納ケース部の開放端部が施錠され、前記施錠部が形成された部分の収納ケース部にメッセージ表示部を設けたレンタル品収納ケースにおいて、前記施錠部材に所要のメッセージが施され、そのメッセージが前記収納ケース部を透過して前記メッセージ表示部に現れるようにしたものである。
【００１３】
具体的には、前記収納ケース部は、ケース本体と、その一辺にヒンジにより開閉自在に結合されたフタ部を有し、前記施錠部は前記ケース本体とフタ部の内面に設けられ、該施錠部の一側面に前記施錠部材を挿入する開口が設けられ、前記施錠部を構成するケース本体の部分が透明又は半透明に形成されるとともに当該部分に前記のメッセージ表示部が形成され、前記施錠部材は、相互に結合された２枚のバー部を有し、前記メッセージ表示部に面したバー部に前記のメッセージを施した構成をとることができる。
【００１４】
また、前記メッセージがメッセージテープに施され、そのメッセージテープを前記施錠部材のバー部に貼り付けた構成をとることもできる。
【発明の効果】
【００１５】
以上のように、この発明に係るレンタル品収納ケースは、店舗において陳列されている状態においては、施錠部材に表示されたメッセージをケース外部から読み取ることができるので、顧客に対するメッセージの伝達に支障を来すことはない。また、前記のメッセージをメッセージテープに表示した場合においても、陳列状態においてそのメッセージテープはケース内部にある施錠部材に接着されているため顧客が触れることはできず、従って、メッセージテープが損傷や汚損を受けることがない。
【００１６】
また、貸し出し中は、レンタル品収納ケースと内部のレンタル品は顧客の手元にあるが、メッセージテープは施錠部材に付着した状態にあり、その施錠部材は店舗に保管されるので、この場合もメッセージテープが損傷や汚損を受けることがない。従って、メッセージテープは、きれいな状態に維持されるので、中古品として再販売される場合の商品価値を高く維持することができる。
【００１７】
また、このレンタル品収納ケース単体を廃棄する場合においても、メッセージテープが付着していないのでこれを剥離する手間が省け、純度の高い再生品の加工に寄与することができる。
【図面の簡単な説明】
【００１８】
【図１】実施形態のレンタル品収納ケースの分解斜視図である。
【図２】同上の陳列状態の斜視図である。
【図３】同上の縦断正面図である。
【図４】同上の開放状態の斜視図である。
【図５】同上の図３におけるＸ−Ｘ線の断面図である。
【図６】同上の一部拡大縦断正面図である。
【図７】従来例の陳列状態における分解斜視図である。
【発明を実施するための形態】
【００１９】
以下、この発明の実施の形態を添付図面に基づいて説明する。図１に示したように、実施形態のレンタル品収納ケース１０は、収納ケース部１１とその上端部の内部に設けられた施錠部１２（図３参照）に挿入される施錠部材１３とからなる。施錠部１２に設けられた側面開口部１４から施錠部材１３を挿入することにより、収納ケース部１１を施錠することができる。
【００２０】
前記の施錠部１２が設けられた収納ケース部１１の上端部分が陳列ケース１５の上端から露出する。その露出量を調整するために、陳列ケース１５の内底面に受け部２０（図２参照）が設けられる。
【００２１】
前記の陳列ケース１５の上端から露出した収納ケース部１１の部分の前面、即ち、施錠部１２が設けられた収納ケース部１１の部分の前面はメッセージ表示部１６となっている。収納ケース部１１は透明又は半透明のポリプロピレンの成形品であるので、メッセージ表示部１６から施錠部１２の内部を見通すことができる。
【００２２】
前記の施錠部１２に挿入される施錠部材１３は、相互に結合された平行２枚の板状のバー部１７ａ、１７ｂを有し（図１参照）、その一端部にヘッド部１８が設けられる。前記バー部１７ａ、１７ｂは、一方のバー部１７ａを前記のメッセージ表示部１６に対面させた状態で側面開口部１４から施錠部１２に挿入される。ヘッド部１８は、側面開口部１４の開口高さより高く形成されているため、その側面開口部１４を閉塞するが施錠部１２の内部に入ることはない。
【００２３】
前記のバー部１７ａの表面にポリエチレン製のメッセージテープ１９が接着される。このメッセージテープ１９は顧客の注意を引く色、例えば黄色に着色され、従来の場合と同様に、「貸出ＯＫ」、「タイトル確認の上、このケースをカウンターまでお持ちください。」等のメッセージが印刷される。
【００２４】
なお、これらのメッセージは、バー部１７ａの表面にテープを介することなく直接施される場合もある。
【００２５】
前記の側面開口部１４から施錠部材１３を施錠部１２に挿入して施錠した状態（図２参照）においては、メッセージテープ１９に表示されたメッセージは、透明又は半透明のメッセージ表示部１６を透過するので、外部からメッセージ表示部１６を見る顧客はそのメッセージを読み取ることができる。
【００２６】
以上述べたレンタル品収納ケース１０は、従来の場合と同様に、店頭においては、陳列ケース１５に収納され（図２参照）、メッセージ表示部１６を含む上端部が露出した状態で陳列される。陳列ケース１５は、メッセージ表示部１９の部分が前面を向くように配置され、顧客はその露出部分のメッセージ表示部１６を通じて内部のメッセージを見通すことができる。
【００２７】
図３は、施錠部１２に施錠部材１３を挿入した施錠状態、図４は収納ケース部１１を開放した状態を示している。次に、これらの構造について説明する。
【００２８】
収納ケース部１１は、浅い箱形のケース本体１１ａとその内側に嵌る浅い箱形のフタ部１１ｂをヒンジ部２１において開閉自在となるように連結したものである。ヒンジ部２１は、連結部分にＶ形溝を形成し、屈曲自在としたものである。ヒンジピンを使用しないので、廃棄後の再生処理に支障を来さない。
【００２９】
ケース本体１１ａの中心部にはディスク２２のセンター穴に対する嵌合部２３が設けられる。その外周に内周支持リブ２４、周壁に沿って外周支持リブ２５が設けられる。
【００３０】
ケース本体１１ａの開放端部（ヒンジ部２１と反対側）に施錠部半体１２ａが一体に設けられ、フタ部１１ｂの開放端部に他方の施錠部半体１２ｂが一体に設けられる。フタ部１１ｂをケース本体１１ａに対して閉鎖すると、これと同時に施錠部半体１２ａと１２ｂが相互に組み合わされて施錠部１２が構成される。
【００３１】
各施錠部半体１２ａ１２ｂの底面には、複数個所の凹部２６ａ、２６ｂが波形に形成され、相互に上下に嵌合する（図３参照）。これらの凹部２６ａ、２６ｂの側面開口１４側の段差２７は直角に形成され、反対側の段差２８は傾斜角を持つように形成される。前記の直角の段差２７は、後述のように施錠部材１３と係合してその抜け出しを阻止する。
【００３２】
前記各施錠部半体１２ａ１２ｂの上縁部には、図４及び図５に示したように、相互に突き合う端縁２９ａ、２９ｂが設けられ、各端縁２９ａ、２９ｂには、下向きに屈曲した係合縁３０ａ、３０ｂが形成される。これらの係合縁３０ａ、３０ｂは相互に突き合う（図５参照）。これらの係合縁３０ａ、３０ｂの外側に施錠部材１３の前記のバー部１７ａ、１７ｂが係合することにより、ケース本体１１ａとフタ部１１ｂの開放が阻止される。
【００３３】
施錠部材１３は、前記のバー部１７ａ、１７ｂが複数の横リブ３１で結合一体化され、２個所の横リブ３１に係合爪３２が上下方向に弾性をもって設けられる。各係合爪３２は、それぞれ対応した凹部２６ａにそれ自身の弾性により係合可能となっている。これらの係合爪３２が前記凹部２６ａに係合すると、直角の段差２７との係合により施錠部材１３を抜き出すことは不可能となる。
【００３４】
前記のように、施錠部材１３のバー部１７ａ、１７ｂが係合縁３０ａ、３０ｂの外側に係合することにより（図５参照）、ケース本体１１ａとフタ部１１ｂの開放が阻止される。施錠部材１３の挿入により、前述のように、施錠部材１３の抜き出しが不可能となり、かつ、ケース本体１１ａとフタ部１１ｂの開放が阻止されることにより収納ケース部１１が施錠状態となる。
【００３５】
前記係合爪３２の反対面（上面）には磁性片３３が取付けられ、これらの磁性片３３に対応した磁石３４をもった解錠部材３５（図６参照）を接近させると、磁性片３３が吸引されることにより係合爪３２が凹部２６ａから脱出して係合が解除される（図６参照）。前記の解除状態において解錠部材３５を抜き出し方向に相対移動させると（図６の二点鎖線参照）、解錠部材３５が施錠部材１３のヘッド部１８に係合してこれを施錠部１２から抜き出す。これにより施状部材１３を外部に抜き出すことができ、収納ケース部１１を解錠することができる。
【００３６】
前記の解錠部材３５を用いることなく、単なる磁石を施錠部１２上に接近させることにより前記係合爪３２の係合が不法に解除される事態が想定される。これを防ぐために、前記の係合爪３２のほかに防犯用のダミー係合爪３６を上向きに設け、これに対応した凹部３７を施錠部半体１２ａの端縁２９ａに設けておく。このダミー係合爪３６にも磁性片３８を取付けておく。前記の解除部材３５には、このダミー係合爪３６に対向した磁石は設けられていないので、通常の解錠時にその係合爪３６が作動することはない。
【００３７】
しかし、不法に解錠しようとする者は、ダミー係合爪３６の存在に気が付かない限り、単なる磁石を施錠部１２の全体に接近・接触させると考えられるから、本来の係合爪３２以外にダミー係合爪３６も吸引される。このため、ダミー係合爪３６が凹部３７に係合されるので、不法な解錠が防止される。
【００３８】
実施形態のレンタル品収納ケースは以上のようなものであるから、レンタル店において陳列されている状態では、メッセージテープ１９は、施錠部１２の内部にあり、顧客等の手指に接触することがなく、従って、その損傷・汚損が避けられる。
【００３９】
また、廃棄処分に際して施錠部材１３を抜き出した状態では、メッセージテープ１９はケースには接着されていないので、メッセージテープを剥離する作業は不要である。
【００４０】
貸出中は、メッセージテープ１９が接着された施錠部材１３は店舗に保管されるので損傷・汚損を受けることがない。したがって、ディスク２２が収納され、施錠部材１３が挿入された状態で中古品として販売する際に、メッセージテープ１９はきれいな状態に保たれ、商品価値を下げることはない。
【符号の説明】
【００４１】
１０  レンタル品収納ケース
１１  収納ケース部
１１ａ  ケース本体
１１ｂ  フタ部
１２  施錠部
１２ａ、１２ｂ  施錠部半体
１３  施錠部材
１４  側面開口部
１５  陳列ケース
１６  メッセージ表示部
１７ａ、１７ｂ  バー部
１８  ヘッド部
１９  メッセージテープ
２０  受け部
２１  ヒンジ部
２２  ディスク
２３  嵌合部
２４  内周支持リブ
２５  外周支持リブ
２６ａ、２６ｂ  凹部
２７  段差
２８  段差
２９ａ、２９ｂ  端縁
３０ａ、３０ｂ  係合縁
３１  横リブ
３２  係合爪
３３  磁性片
３４  磁石
３５  解錠部材
３６  ダミー係合爪
３７  凹部
３８  磁性片
【図１】
2010222049.tif 000003
【図２】
2010222049.tif 000004
【図３】
2010222049.tif 000005
【図４】
2010222049.tif 000006
【図５】
2010222049.tif 000007
【図６】
2010222049.tif 000008
【図７】
2010222049.tif 000009